(57)【要約】【課題】段差解消ピット、操作架台、リフタなどを用いる必要のない低床型の流体充填機を得るにある。【解決手段】充填機ベースに設ける計量器１２の計量台５上にコンベヤを設け、同コンベヤ上に位置させる容器の重量を測定する液体充填機において、容器の送り方向に対して直角な方向に前記コンベヤを２分割し、離間されたこれらの分割コンベヤ３Ｆ，３Ｒの相互間に前記計量器１２を位置して分割コンベヤ３Ｆ，３Ｒの高さを計量器１２と略同じレベルとした流体充填機を提案するものである。【選択図】図３
2005041551.tif 000002
【特許請求の範囲】
【請求項１】
充填機ベースに設ける計量器の計量台上にコンベヤを設け、同コンベヤ上に位置させる容器の重量を測定する液体充填機において、容器の送り方向に対して直角な方向に前記コンベヤを２分割し、離間されたこれらの分割コンベヤの相互間に前記計量器を位置して分割コンベヤの高さを計量器と略同じレベルとしたことを特徴とする流体充填機。
【請求項２】
前記計量器の上面は容器の荷役時に作業員が乗ることができるステップ板で覆われることを特徴とする請求項１記載の流体充填機。
【請求項３】
前記コンベヤはローラコンベヤであり、前記計量器は充填機ベースと計量台に上下メンバを固定するロードセルであり、同ロードセルが分割された第１ローラコンベヤと第２ローラコンベヤとの間に配置されることを特徴とする請求項１または請求項２記載の流体充填機。
【発明の詳細な説明】
【技術分野】
【０００１】
本発明は液体または粉体などの流体を容器に充填する装置に関し、特に、ドラム缶などの大型容器に適した流体充填機に関する。
【背景技術】
【０００２】
従来、図1に示すようなドラム缶充填機などの流体充填機にあっては、ベースＡに設ける計量台Ｂ上にドラム缶Ｄを位置し、表示器Ｃによる監視下に充填ノズルＮからの充填重量を計量する。
即ち、ベースＡの表面中央にはロードセルＬなどの計量器を位置し、このロードセルＬの上部を覆う計量台Ｂの上面にローラコンベヤＲなどのコンベヤを取り付け、同ローラコンベヤＲにより計量台Ｂに対するドラム缶Ｄの荷役作業の容易化を図っている。
【０００３】
ところで、従来のドラム缶充填機の計量台部は、前述したようにベースＡの中央に設けるロードセルＬ上の計量台Ｂの表面にローラコンベヤＲを積載した構造であるから、ドラム缶Ｄを載置するローラコンベヤＲのフロア面からの高さＨは略３５０ｍｍ程度となる。
【特許文献１】実公平３−５６５５７号公報
【特許文献２】実公平４−１４３９２号公報
【発明の開示】
【発明が解決しようとする課題】
【０００４】
このため、フロア面からの高さＨが高いローラコンベヤＲ上に重量のあるドラム缶Ｄを荷役操作するに際しては、ドラム缶Ｄの高さを調整するためのピットを用意したり、作業員が乗る操作架台を付設するか、ドラム缶Ｄの積載レベルを上下するリフタを設置するなどの必要があった。また、通常使用の１５０Ｈパレットにドラム缶Ｄを載せて運搬などを行う場合には、別にパレット積み装置が必要になっていた。
しかしながら、高さ調整用ピットには揮発性液やガス溜りとなる危険性があり、操作架台の使用により作業員が比較的高い操作架台を踏み外すことが増え、操作架台やリフタで周辺機器費用が割高なものとなっている。
本発明の目的は、以上に述べたような従来の流体充填機の問題に鑑み、段差解消ピット、操作架台、リフタなどを用いる必要のない低床型の流体充填機を得るにある。
【課題を解決するための手段】
【０００５】
この目的を達成するため、本発明は、充填機ベースに設ける計量器の計量台上にコンベヤを設け、同コンベヤ上に位置させる容器の重量を測定する液体充填機において、容器の送り方向に対して直角な方向に前記コンベヤを２分割し、離間されたこれらの分割コンベヤの相互間に前記計量器を位置して分割コンベヤの高さを計量器と略同じレベルとした流体充填機を提案するものである。
【発明の効果】
【０００６】
本発明によれば、容器の送り方向に対して直角な方向に前記コンベヤを２分割し、離間されたこれらの分割コンベヤの相互間に前記計量器を位置して分割コンベヤの高さを計量器と略同じレベルとしたから、床面からの高さが低くなり、段差解消ピット、操作架台、リフタを用いることなく、容器を計量台に対して荷役操作できる。
【発明を実施するための最良の形態】
【０００７】
後述する本発明の好ましい実施例の説明においては、
１）前記計量器の上面は容器の荷役時に作業員が乗ることができるステップ板で覆われる構造、
２）前記コンベヤはローラコンベヤであり、前記計量器は充填機ベースと計量台に上下メンバを固定するロードセルであり、同ロードセルが分割された第１ローラコンベヤと第２ローラコンベヤとの間に配置される構造、
が説明される。
【実施例１】
【０００８】
以下、図２から図４について本発明の実施例の詳細を説明する。
図２は本発明をドラム缶充填機に施した例であり、２点鎖線で示すドラム缶Ｄはベース１の上面に位置した後述の第１ローラコンベヤ３Ｆ及び第２ローラコンベヤ３Ｂに受承され、同ベース１の上方に位置する液体充填ノズル４に対する口合わせが行われ、同液体充填ノズル４から液体充填が行われる。
【０００９】
ドラム缶Ｄの送り方向に対して直角な方向に対向離間される第１ローラコンベヤ３Ｆ及び第２ローラコンベヤ３Ｂのコンベヤフレーム３ａは、図３に示すように計量台５を構成する矩形枠状の計量台本体５ａに固定されるが、この計量台本体５ａの両側のロ字断面部材５ｂ，５ｃ（図４）にはＬ字状チャンネル５ｄ，５ｅが結合ボルト６，７によりそれぞれ固定される。
また、これらのＬ字状チャンネル５ｄ，５ｅに両端を固定される一対の山形平行部材９Ｆ，９Ｂが前述した第１ローラコンベヤ３Ｆと第２ローラコンベヤ３Ｂとの空間に位置され、これらの山形並行部材９Ｆ，９Ｂの頂面を含んだ第１ローラコンベヤ３Ｆと第２ローラコンベヤ３Ｂとの空間は作業員が乗ることができるステップ板１０で覆われ、このステップ板１０の高さと第１ローラコンベヤ３Ｆ及び第２ローラコンベヤ３Ｂの各ローラ３ｂの高さとが略同一レベルとされる。
さらに、前記山形平行部材９Ｆ，９Ｂの間の左右方向に伸びた空間中にはロードセル１２の場合を示す計量器が配置されるけれども、このロードセル１２は両側に位置される山形平行部材９Ｆ，９Ｂによりロードセル１２が保護される。
【００１０】
即ち、図３に示すステー１４によりフロアに設置されるベース１の底板１ａに対してボルト１５で固定される添え板１７にはロードセル１２のベース側メンバ１２ａが取付ねじ１８で固定され、同ロードセル１２の計量台側メンバ１２ｂは前記山形平行部材９Ｆ，９Ｂ間を横断する横断部材２１に取付ねじ２２で固定される。
したがって、ロードセル１２の計量台側メンバ１２ｂは前述した第１ローラコンベヤ３Ｆ及び第２ローラコンベヤ３Ｂの各ローラ３ｂと略同一レベルとされるから、その分だけフロア面からの全体高さが低くなる。
【００１１】
図３の紙面と直角な方向に伸びるベース１の内部の補強チャンネル２３，２４の表面には前記計量台５の前後チャンネル２５，２６にねじ込まれたストッパねじ２７の先端が臨まされ、補強チャンネル２３，２４の表面に対するストッパねじ２７の衝合により計量台５の傾動が防止される。
なお、前記第２ローラコンベヤ３Ｂの後縁上には缶ガイド２８が取付けられ、この缶ガイド２８で第１ローラコンベヤ３Ｆ及び第２ローラコンベヤ３Ｂ上で操作されるドラム缶Ｄがガイドされる。
【００１２】
図示実施例によるドラム充填機は、以上のような構造であるから、第１ローラコンベヤ３Ｆと第２ローラコンベヤ３Ｂとの間に形成された空間中にロードセル１２を組込み、フロア面からの第１ローラコンベヤ３Ｆ及び第２ローラコンベヤ３Ｂの高さを低くでき、フロアやパレット上のドラム缶Ｄを傾けて段差解消ピットやリフタ、操作架台を設置することなく、荷役操作できる。
液体充填ノズル５に対するドラム缶Ｄの口合わせを行う場合、第１ローラコンベヤ３Ｆのローラと第２ローラコンベヤ３Ｂのローラ３ｂとは逆回転できるから、計量台５上でドラム缶Ｄを回転させるだけで容易に口合わせを行うことができる。
【００１３】
また、第１ローラコンベヤ３Ｆと第２ローラコンベヤ３Ｂとの間にはステップ板１０が設けられているので、ドラム缶Ｄの荷役作業の際、作業員が同ステップ板１０に乗って作業できるが、ステップ板１０の高さは比較的低い位置にあるため、操作架台を使用する必要はない。
【産業上の利用可能性】
【００１４】
前記実施例においては、本発明をドラム充填機に施した例を説明したが、本発明は他の流体充填機であってもよく、また、ロードセルは他の形式の計量器であってもよい。
【図面の簡単な説明】
【００１５】
【図１】従来のドラム缶充填機の説明図である。
【図２】本発明による流体充填機の平面図である。
【図３】図２の３−３線に沿う拡大断面図である。
【図４】図２の４−４線に沿う拡大断面図である。
【符号の説明】
【００１６】
Ｄ      ドラム缶
１      ベース
３Ｆ    第１ローラコンベヤ
３Ｂ    第２ローラコンベヤ
３ｂ    ローラ
４      液体充填ノズル
５      計量台
５ａ    計量台本体
９Ｆ，９Ｂ  山形平行部材
１０    ステップ板
１２    ロードセル
【図１】
2005041551.tif 000003
【図２】
2005041551.tif 000004
【図３】
2005041551.tif 000005
【図４】
2005041551.tif 000006